(57)【要約】【課題】  従来公知の端子カバーにおいてカバーの開閉時に外観面に対し垂直方向にヒンジを引き出す機構や外観面と平行する方向にスライドさせヒンジを引き出して開けやすくする機構があったが、強度や耐久性、操作性を考えるとヒンジを長めにしないと開状態で保持する力が強く端子の抜き差しが行いづらくなってしまうが、実際はヒンジを長くしても使用者が完全にヒンジを引き出して使うことなく使いにくい状態で使用していることが多いという問題があった。本発明はこのような問題のない端子のカバー開閉装置を提供する。【解決手段】  外部端子部分を覆うカバー部材であって、本体外装板に沿ってヒンジ部と移動を制限するための係止部およびカバーが浮き上がるのを防止するためのボスやリブ、またはフックといった嵌合部と、カバー部材を閉状態から引き出す時に指を掛けるための突起または窪みの指掛け部で構成された電子機器のカバー開閉装置。【選択図】        図１
2006201251.tif 000002
【特許請求の範囲】
【請求項１】
電子機器に備えられる外部端子部分を覆うカバー部材であって、前記カバー部材は一体で形成された外観部と本体外装形状に沿って配置されたヒンジ部と前記カバー部材が所定の位置まで引き出し可能であり、引き出された時に移動を制限するための係止部と、前記カバー部材が閉状態の時、該カバー部材が浮き上がるのを防止するための嵌合部と、前記カバー部材を閉状態から引き出す時に指を掛けるための指掛け部を有し、前記指掛け部は前記ヒンジ部が引き伸ばされる方向とは逆側の端面に配置されていることを特徴とするカバー開閉装置。
【請求項２】
前記カバー部材は軟質材にて形成されることを特徴とする請求項１に記載のカバー開閉装置。
【請求項３】
電子機器に備えられる外部端子部分を覆うカバー部材であって、前記カバー部材は外観部分を形成するカバー部と前記カバー部とは異なる材料で、本体外装形状に沿って配置されたヒンジ部と前記カバー部材が所定の位置まで引き出された時に移動を制限するための係止部を有し、また前記カバー部材が閉状態の時、該カバー部材が浮き上がるのを防止するための嵌合部と、前記カバー部材を閉状態から引き出し可能であり、引き出す時に指を掛けるための指掛け部を有し、前記指掛け部は前記ヒンジ部が引き伸ばされる方向とは逆側の端面に配置されていることを特徴とするカバー開閉装置。
【請求項４】
前記ヒンジ部材は軟質材にて形成されることを特徴とする請求項３に記載のカバー開閉装置。
【請求項５】
前記カバー部材の前記ヒンジ部であって、前記カバー部材が所定の位置、または係止部まで引き出された時に前記カバー部材が外側に折れ曲がりやすくなる方向に溝が設けてあることを特徴とする請求項１または３に記載のカバー開閉装置。
【発明の詳細な説明】
【技術分野】
【０００１】
本発明はディジタルカメラ等の電子機器の外部端子部分を覆うカバー部材を有したカバー開閉装置に関する。
【背景技術】
【０００２】
ディジタルカメラ等の電子機器においてＵＳＢやＡＶ  ＪＡＣＫ、またはＤＣ  ＪＡＣＫなどの外部端子を装備しているものは、普段使用しないときは端子類をカバーするための蓋を設けていた。図１０は従来の電子機器における外部接続端子用のカバー開閉装置の全体図であり、図１１はカバーを開いた状態を示す拡大図である。
【０００３】
図１０および図１１において、２はカメラ本体１の外装面に配置されたジャックカバーであり、該ジャックカバー２にはそれぞれ爪かかり２ａと嵌合用のボス２ｂおよび引き出し式のヒンジ２ｃを有している。前記ジャックカバー２が閉じている時は前記爪かかり部２ａ以外の部分は前記カメラ本体１の外装板と同一曲面上に収納され、前記爪かかり部２ａを爪で引き出すと前記ジャックカバー２に設けてある嵌合用のボス２ｂが前記カメラ本体１のＡＶ  ＪＡＣＫ端子３から離れ、前記ヒンジ２ｃ部を軸に回動しながら前記ジャックカバー２が開く構造となっている。
【０００４】
またその際前記ヒンジ部２ｃは回動しながらヒンジが引き出される形になるため、前記ジャックカバー２の前記ヒンジ２ｃにおいて抵抗が発生することなくカバーを開くことが可能となっている。また前記ジャックカバー２を開いた後でもさらに前記ヒンジ２ｃを引き出すことが可能であるが前記ヒンジ２ｃ（図示しない）にはストッパーが設けてあり、ある程度引き出された後は、ロックがかかり前記ジャックカバー２が抜けるのを防止している。
【特許文献１】特開２００４−２３４８６１号公報
【発明の開示】
【発明が解決しようとする課題】
【０００５】
従来の電子機器の場合、外装カバーから飛び出した形のジャックカバーは操作性は良いが外観の品位が良くなかった。また外観を優先して図２で示したようにジャックカバーに引き出し式のヒンジを使いジャックカバーが外装カバーと同一面になるように構成した場合、ヒンジの裏側に大きなスペースが必要だったり、開いてもヒンジの引き出し量が少なく操作性が良くないものが多かった。また強度や耐久性、操作性を考えるとヒンジを長めにしないと開状態で保持する力が強く端子の抜き差しが行いづらくなってしまうが、実際はヒンジを長くしても使用者が完全にヒンジを引き出して使うことなく使いにくい状態で使用していることが多いという問題があった。
【０００６】
本発明は、以上の点に着目して成されたもので、開閉しやすく強度や耐久性に優れ、かつ端子を抜き差しする上で操作性の良いカバー開閉装置を提供することを目的とする。
【課題を解決するための手段】
【０００７】
上記の課題を解決するために、本出願における第１の発明では、電子機器に備えられる外部端子部分を覆うカバー部材であって、前記カバー部材は一体で形成された外観部と本体外装形状に沿って配置されたヒンジ部と前記カバー部材が所定の位置まで引き出し可能であり、引き出された時に移動を制限するための係止部と、前記カバー部材が閉状態の時、該カバー部材が浮き上がるのを防止するための嵌合部と、前記カバー部材を閉状態から引き出す時に指を掛けるための指掛け部を有し、前記指掛け部は前記ヒンジ部が引き伸ばされる方向とは逆側の端面に配置されていることを特徴とする。
【０００８】
さらに本出願における第２の発明では前記カバー部材は軟質材にて形成されることを特徴とする。
【０００９】
さらに本出願における第３の発明では電子機器に備えられる外部端子部分を覆うカバー部材であって、前記カバー部材は外観部分を形成するカバー部と前記カバー部とは異なる材料で、本体外装形状に沿って配置されたヒンジ部と前記カバー部材が所定の位置まで引き出された時に移動を制限するための係止部を有し、また前記カバー部材が閉状態の時、該カバー部材が浮き上がるのを防止するための嵌合部と、前記カバー部材を閉状態から引き出し可能であり、引き出す時に指を掛けるための指掛け部を有し、前記指掛け部は前記ヒンジ部が引き伸ばされる方向とは逆側の端面に配置されていることを特徴とする。
【００１０】
さらに本出願における第４の発明では前記ヒンジ部材は軟質材にて形成されることを特徴とする。
【００１１】
さらに本出願における第５の発明では前記カバー部材の前記ヒンジ部であって、前記カバー部材が所定の位置、または係止部まで引き出された時に前記カバー部材が外側に折れ曲がりやすくなる方向に溝が設けてあることを特徴とする。
【発明の効果】
【００１２】
以上の構成により本出願における第１の発明では、端子カバーのヒンジを外装カバーと平行する形にスライド自在となるように配置し、爪掛かり位置をヒンジのある側に配置することで外部端子カバーを開くと自然にヒンジを引き出されるようになっているためヒンジを長くして開閉しやすくする事が出来、かつ強度や耐久性を悪化させることなく開状態を保持するのに必要な力を小さくできるので、端子を抜き差しする上で操作性の良い一体構造の端子カバーにすることができる。
【００１３】
また本出願における第２の発明では前記端子カバー部材は軟質材を使用することでさらに開閉しやすく操作性の良い端子カバーにすることができる。
【００１４】
さらに本出願における第３の発明ではヒンジと外観部を別部材で構成して外観部のみを硬度の高い材料を使用したり美観に優れた表面処理を行うことにより品位を高めることができるとともに第１の発明と同様開閉しやすく強度や耐久性に優れ、かつ端子を抜き差しする上で操作性の良い端子カバーにすることができる。
【００１５】
また本出願における第４の発明では前記ヒンジ部材は軟質材を使用することにより外観部の品位を損ねることなく開閉操作に必要な力を軽くすることができるため、操作性の良い端子カバーにすることができる。
【００１６】
さらに本出願における第５の発明ではヒンジが特定の位置まで引き出された時に端子カバーが外側に折れ曲がりやすくなる方向に溝が設けてあることにより、さらに軽い力で開状態を保持することができる。
【発明を実施するための最良の形態】
【００１７】
図１〜図９を参照して本発明の外部端子のカバー開閉装置の最良の形態を実施例として説明する。
【実施例１】
【００１８】
図３は本発明の実施例のディジタルカメラ斜視図でありカメラ側面の窪みにＵＳＢ、ＡＶ／ＯＵＴ端子といった外部接続端子が配置されている、通常それらの外部接続端子を埃などから守るために蓋が設置してあるが本発明の実施例では、ジャックカバー５はカメラ本体４に収納された時サイドカバー６と同一曲面になるように構成されている。なお同図はジャックカバーを閉じた時の図である。
【００１９】
図４は前記ジャックカバー５の詳細図でありジャッカバー５には引き出す時の爪掛け用の窪み５ａと収納時に浮き上がりを防止するためのフック５ｈと嵌合用のボス５ｂが設けてある。５ｃは引き出し式のヒンジであり図３におけるサイドカバー６と平行に配置され該ヒンジ５ｃの先端には一定の距離スライドした時に移動を制限するためのストッパー５ｄとスライドした時にジャックカバーを曲がりやすくするための窪み５ｇを設けている。
【００２０】
図５は本発明のディジタルカメラ外部端子カバー機構の分解斜視図である。前記ジャックカバー５はフロント外装パネル７およびインナー部材８、固定用プレート１０に挟まれる形で取り付けられ前記インナー部材８は前記固定用プレート１０に熱融着で固定され前記インナー部材８に設けられた窪みに前記ジャックカバー５のヒンジ部５ｃがスライド自在に取り付けできるようになっている。前記ジャックカバー５を挿入したあとフロント外装パネル７とともにストラップ固定リング９を取り付けると図６のような状態となり前記ストラップ固定リング９とインナー部材８で前記ジャックカバー５のヒンジ部５ｃが通るためのレールが形成される。
【００２１】
図７は前記ジャックカバー５と前記インナー部材８、および前記ストラップ固定リング９の位置関係を示した図であり、前記インナー部材８は前記ストラップ固定リング９を前記フロント外装パネル７にビス固定すると前記インナー部材８は前記フロント外装パネル７に間接的に保持され、該インナー部材８の一部は前記ジャックカバー５を開いたときに内側の壁を兼ねる構造となっている。また一部に前記ジャックカバーの固定用フック５ｈを引っ掛けるための窪み８ｃ（図７で指示）が設けてある。図８はその断面である。
【００２２】
図７に示した前記インナー部材８および前記ストラップ固定リング９にはそれぞれ前記ジャックカバー５が所定の位置までスライドした時に該ジャックカバー５のストッパー５ｄと当接する位置に壁８ａおよび９ａを設けている。また前記ジャックカバー５が所定の位置までスライドした時にヒンジ５ｃに設けてある窪み５ｇは図２で示した位置までスライドするので図１のように外側に前記ジャックカバー５を倒すのを容易にするとともに軽い力で引き倒した状態を保持できるためＡＶ／ＯＵＴ接続ケーブルやＵＳＢ接続ケーブルを接続した状態で不用意に前記カメラ本体４を動かしたりしてもケーブルが外れたりすることはない。
【００２３】
しかし従来のジャックカバー機構の場合ヒンジはカバーを回動させるときに引き出される構造となっているため必ずしもユーザーが完全にヒンジを引き出すとは限らず、多くの場合ヒンジを十分引き出さない状態で使用することがあった。またカバーの開閉操作を軽くするためにヒンジ厚を薄くした場合引張り方向の力に対し弱くなるとともに耐久性も落ちてしまうという問題があった。
【００２４】
そこで本発明では通常ヒンジとは逆側に配置する爪掛け部５ａを浮き上がり防止用の前記嵌合ボス５ｂや前記フック５ｈに対しヒンジのある側、つまりヒンジを引き出す方向に力が掛かるように前記ヒンジ５ｃの近傍であり、かつ前記ヒンジ５ｃが伸びている側に前記爪掛かり５ａを設けることによりユーザーが前記ジャックカバー５を開けたときに自然にヒンジ５ｃが引き出されるように力が加わることを特徴としている。
【００２５】
またこれにより通常より長めにヒンジを設定してもほぼ狙いの位置までヒンジ５ｃを引き出せるため開閉操作を軽くするための窪み５ｇを有効に利用でき、その分ヒンジ５ｃの厚みを厚くできるため耐久性、強度の面で有効である。また硬めの材料を使用できるため経年変化で嵌合用ボス５ｂが緩むことを防止できる。また本実施例では硬質材の使用を前提としているが、本発明の請求項２にあるように材料自体を軟質材を使用したとしても操作性の面において同様の効果が期待できる。
【実施例２】
【００２６】
図９は本発明における第２の実施例である、外部端子カバーを異なる２種または複数種の材料で構成した時の断面図である。
【００２７】
同図においてジャックカバーは外観部１２とそのベース部１３で構成され、両者は２色成型か、接着または熱融着などによりベース部１３に固定される。例えば外観部をメッキ処理したり硬度の高い素材に変更することにより外観品位の高いジャックカバーにできるが基本的な構成は本発明の実施例１のジャックカバー５がベース部１３に置き換わったこと以外同様であり、従来の２体化されたジャックカバーに比べ操作性や強度、耐久性の面において実施例１のジャックカバーと同様の効果が得られる。
【００２８】
また本発明における第２の実施例では特に材料の硬度を指定していないが、本発明の請求項４にあるように前記ベース部１３の材料を外観面の前記カバー部１２より軟質な材質を使用した場合においても操作性の面においてさらに効果が期待できる。
【００２９】
なお、本実施例における外部端子カバー機構はＡＶ／ＯＵＴ、ＵＳＢ端子の場合で説明しているが本発明ではＤＣカバーといった他のカバーに置き換えても構わないものとする。
【図面の簡単な説明】
【００３０】
【図１】本発明の実施例となる外部端子カバーの詳細斜視図
【図２】本発明の実施例となる外部端子カバーのヒンジ拡大図
【図３】本発明の実施例となる外部端子カバーを持つディジタルカメラの全体図
【図４】本発明の実施例となる外部端子カバーの詳細斜視図
【図５】本発明の実施例となる外部端子カバーを持つディジタルカメラの分解図
【図６】本発明の実施例となる外部端子カバーを持つディジタルカメラの詳細斜視図
【図７】本発明の実施例となる外部端子カバーの構成図
【図８】本発明の実施例となる外部端子カバーの断面図
【図９】本発明の第２の実施例となる外部端子カバーの断面図
【図１０】従来例となるディジタルカメラ斜視図
【図１１】従来例となるディジタルカメラ外部端子カバー機構詳細図
【符号の説明】
【００３１】
１    従来例のカメラ本体
２    ジャックカバー（外部端子カバー）
３    ＡＶ／ＯＵＴ端子
４    実施例のカメラ本体
５    ジャックカバー（外部端子カバー）
６    サイドカバー
７    フロント外装パネル
８    インナー部材
９    ストラップ固定リング
１０  ストラップリング固定用プレート
１１  ＡＶ／ＯＵＴ端子
１２  ２体化した時の外部端子カバー
１３  ベース部
【図１】
2006201251.tif 000003
【図２】
2006201251.tif 000004
【図３】
2006201251.tif 000005
【図４】
2006201251.tif 000006
【図５】
2006201251.tif 000007
【図６】
2006201251.tif 000008
【図７】
2006201251.tif 000009
【図８】
2006201251.tif 000010
【図９】
2006201251.tif 000011
【図１０】
2006201251.tif 000012
【図１１】
2006201251.tif 000013